【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
基部と、
前記基部から第１の方向に延出し、前記第１の方向に直交する第２の方向に離間して配置されている一対の振動腕と、
前記基部から前記第１の方向に延出し、前記一対の振動腕の間に配置されている保持腕と、
を含む振動素子であって、
前記保持腕には、平面視で、前記振動素子の重心と前記基部との間に固定部材を介して対象物に取り付けられる固定領域があることを特徴とする振動素子。
【請求項２】
請求項１において、
前記固定領域は、前記第１の方向に沿った長さが前記第２の方向に沿った長さよりも長いことを特徴とする振動素子。
【請求項３】
請求項１または２において、
前記固定領域は、前記第１の方向に沿った長さが、前記第２の方向に沿った長さの２倍以上５倍以下であることを特徴とする振動素子。
【請求項４】
請求項１ないし３のいずれか一項において、
平面視で、前記重心と前記基部との間の前記第１の方向に沿った距離をＬ１０としたとき、
前記固定領域の前記第１の方向における中心と前記基部との間の前記第１の方向に沿った距離は、０．１５×Ｌ１０以上０．３０×Ｌ１０以下であることを特徴とする振動素子。
【請求項５】
請求項１ないし４のいずれか一項において、
平面視で、前記重心と前記基部との間の前記第１の方向に沿った距離をＬ１０としたとき、
前記固定領域の前記第１の方向に沿った長さは、０．５８９×Ｌ１０以上Ｌ１０以下であることを特徴とする振動素子。
【請求項６】
請求項１ないし５のいずれか一項において、
前記保持腕は、平面視で、前記重心と重なっていることを特徴とする振動素子。
【請求項７】
請求項１ないし６のいずれか一項において、
前記固定領域は、平面視で、
第１固定部と、
前記第１固定部と離間し、前記第１固定部よりも前記保持腕の先端側に位置している第２固定部と、
を含むことを特徴とする振動素子。
【請求項８】
請求項７において、
前記第１固定部と前記第２固定部との間の前記第１の方向に沿った距離は、２０μｍ以上であることを特徴とする振動素子。
【請求項９】
請求項１ないし８のいずれか一項に記載の振動素子と、
前記振動素子が収納されているパッケージと、
を含むことを特徴とする振動子。
【請求項１０】
請求項１ないし８のいずれか一項に記載の振動素子と、
発振回路と、
を備えていることを特徴とする発振器。
【請求項１１】
請求項１ないし８のいずれか一項に記載の振動素子を備えていることを特徴とする電子機器。
【請求項１２】
請求項１ないし８のいずれか一項に記載の振動素子を備えていることを特徴とする移動体。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の適用例として実現することが可能である。
［適用例１］
本発明の振動素子は、基部と、
前記基部から第１の方向に延出し、前記第１の方向に直交する第２の方向に離間して配置されている一対の振動腕と、
前記基部から前記第１の方向に延出し、前記一対の振動腕の間に配置されている保持腕と、
を含む振動素子であって、
前記保持腕には、平面視で、前記振動素子の重心と前記基部との間に固定部材を介して対象物に取り付けられる固定領域があることを特徴とする。
これにより、振動漏れを低減することのできる振動素子となる。
【手続補正３】
【補正対象書類名】明細書
【補正対象項目名】０００７
【補正方法】変更
【補正の内容】
【０００７】
［適用例２］
本発明の振動素子では、前記固定領域は、前記第１の方向に沿った長さが前記第２の方向に沿った長さよりも長いことが好ましい。
これにより、振動漏れをより低減することができる。
【手続補正４】
【補正対象書類名】明細書
【補正対象項目名】０００８
【補正方法】変更
【補正の内容】
【０００８】
［適用例３］
本発明の振動素子では、前記固定領域は、前記第１の方向に沿った長さが、前記第２の方向に沿った長さの２倍以上５倍以下であることが好ましい。
これにより、例えば、第２の方向に沿った長さが上記下限値以上であると、固定部が振動素子の長手方向に沿って長くなるので、振動素子をケースにバランスよく固定することができる。
【手続補正５】
【補正対象書類名】明細書
【補正対象項目名】０００９
【補正方法】変更
【補正の内容】
【０００９】
［適用例４］
本発明の振動素子では、平面視で、前記重心と前記基部との間の前記第１の方向に沿った距離をＬ１０としたとき、
前記固定領域の前記第１の方向における中心と前記基部との間の前記第１の方向に沿った距離は、０．１５×Ｌ１０以上０．３０×Ｌ１０以下であることが好ましい。
この範囲は、振動腕の振動の影響を受けにくい場所であるため、このような位置を中心として固定部を配置することによって、振動漏れがより低減された振動素子となる。
【手続補正６】
【補正対象書類名】明細書
【補正対象項目名】００１０
【補正方法】変更
【補正の内容】
【００１０】
［適用例５］
本発明の振動素子では、平面視で、前記重心と前記基部との間の前記第１の方向に沿った距離をＬ１０としたとき、
前記固定領域の前記第１の方向に沿った長さは、０．５８９×Ｌ１０以上Ｌ１０以下であることが好ましい。
この範囲は、振動腕の振動の影響を受けにくい場所であるため、このような位置を中心として固定部を配置することによって、振動漏れがより低減された振動素子となる。
【手続補正７】
【補正対象書類名】明細書
【補正対象項目名】００１１
【補正方法】変更
【補正の内容】
【００１１】
［適用例６］
本発明の振動素子では、前記保持腕は、平面視で、前記重心と重なっていることが好ましい。
これにより、振動腕の振動の影響をより低減することができ、振動漏れをより低減することのできる振動素子となる。
［適用例７］
本発明の振動素子では、前記固定領域は、平面視で、
第１固定部と、
前記第１固定部と離間し、前記第１固定部よりも前記保持腕の先端側に位置している第２固定部と、
を含むことが好ましい。
これにより、対象物へ搭載した状態での固定部材同士の接触を低減することができる。
【手続補正８】
【補正対象書類名】明細書
【補正対象項目名】００１２
【補正方法】変更
【補正の内容】
【００１２】
［適用例８］
本発明の振動素子では、前記第１固定部と前記第２固定部との間の前記第１の方向に沿った距離は、２０μｍ以上であることが好ましい。
これにより、対象物へ搭載した状態での固定部材同士の接触をより低減することができる。
【手続補正９】
【補正対象書類名】明細書
【補正対象項目名】００１３
【補正方法】変更
【補正の内容】
【００１３】
［適用例９］
本発明の振動子は、本発明の振動素子と、
前記振動素子が収納されているパッケージと、を含むことを特徴とする。
これにより、高い信頼性を有する振動子が得られる。
［適用例１０］
本発明の発振器は、本発明の振動素子と、
発振回路と、を備えていることを特徴とする。
これにより、高い信頼性を有する発振器が得られる。
【手続補正１０】
【補正対象書類名】明細書
【補正対象項目名】００１４
【補正方法】変更
【補正の内容】
【００１４】
［適用例１１］
本発明の電子機器は、本発明の振動素子を備えていることを特徴とする。
これにより、高い信頼性を有する電子機器が得られる。
［適用例１２］
本発明の移動体は、本発明の振動素子を備えていることを特徴とする。
これにより、高い信頼性を有する移動体が得られる。